(57)【要約】  並んで配置された誘電層（２）および電極層（３）の積層体（１）と、異なる極性を有する外部接点（４ａ、４ｂ）と、を有し、前記外部接点（４ａ、４ｂ）が、前記積層体（１）の外面（５ａ）に配置され、フリップチップ接点接続可能であり、前記電極層が、それぞれ１つの端部によって、同じ極性を有する外部接続部に接続される、電気的多層構成要素が示される。【選択図】図１ａ
2010539722.tif 000002
【特許請求の範囲】
【請求項１】
並んで配置された誘電層（２）および電極層（３）の積層体（１）と、
互いに反対の極性の外部接点（４ａ、４ｂ）と、を有し、前記外部接点（４ａ、４ｂ）が、前記積層体（１）の同一の外面（５ａ）に配置され、フリップチップ接点接続可能であり、
前記電極層が、それぞれ１つの端部によって、同じ極性を有する外部接続部に接続される、電気的多層構成要素。
【請求項２】
前記積層体（１）の積層方向が、多層構成要素が取り付け可能である取り付け面（６）と実質的に平行に向いている、請求項１に記載の電気的多層構成要素。
【請求項３】
前記電極層（３）が少なくとも一部で、直角に突き出た部分において重なり合う、請求項１または２に記載の電気的多層構成要素。
【請求項４】
前記電極層（３）が直角に突き出た部分において重なり合わず、共通の誘電層（２）に互いから隔てて配置される、請求項１または２に記載の電気的多層構成要素。
【請求項５】
前記外部接点（４ａ、４ｂ）にそれぞれ一端で接続され、前記積層体（１）の内部に方向を転換するような向きになるように、前記電極層（３）が形成される、請求項１から４のいずれか一項に記載の電気的多層構成要素。
【請求項６】
前記電極層（３）がＬ字型であり、電極層の第１のリム（３ａ）が外部接点（４ａ、４ｂ）に接続され、第２のリム（３ｂ）が、多層構成要素が取り付け可能である取り付け面（６）に平行に向く、請求項１から５のいずれか一項に記載の電気的多層構成要素。
【請求項７】
異なる極性を有する電極層（３）の第２のリム（３ｂ）が、直角に突き出た部分において少なくとも一部で重なり合う、請求項６に記載の電気的多層構成要素。
【請求項８】
電極層（３）の第２のリム（３ｂ）の端部が、同一の誘電層（２）に配置され逆の極性を有する電極層（３）の第２のリムの端部に面し、前記端部同士が互いから隔てられている、請求項６に記載の電気的多層構成要素。
【請求項９】
前記電極層（３）が、それぞれ複数の側の積層体（１）の外面（５ａ、５ｂ）までつながっている、請求項１から８のいずれか一項に記載の電気的多層構成要素。
【請求項１０】
少なくとも１つの接地電極（７）をさらに有し、前記接地電極（７）が積層体の誘電層（２）に配置され、前記接地電極（７）が、前記電極層（３）と接触する外部接点（４ａ、４ｂ）と同じ外面（５ａ）に配置された接地接点（４ｃ）に一端で接点接続される、請求項１から９のいずれか一項に記載の電気的多層構成要素。
【請求項１１】
前記外部接点（４ａ、４ｂ）が、前記積層体（１）の同一の外面（５ａ）に、互いから最大に隔てられて配置される、請求項１から１０のいずれか一項に記載の電気的多層構成要素。
【請求項１２】
前記外部接点（４ａ、４ｂ）が、前記積層体（１）の同一の外面（５ａ）の異なる縁部領域に配置される、請求項１から１１のいずれか一項に記載の電気的多層構成要素。
【請求項１３】
前記積層体（１）の少なくとも１つの外面（５ａ、５ｂ）が少なくとも部分的に不動態化される、請求項１から１２のいずれか一項に記載の電気的多層構成要素。
【請求項１４】
前記積層体（１）の前記少なくとも１つの外面（５ａ、５ｂ）が、ガラス含有層（８）によって少なくとも部分的に不動態化される、請求項１３に記載の電気的多層構成要素。
【請求項１５】
前記積層体（１）の前記少なくとも１つの外面（５ａ、５ｂ）が、セラミック含有不動態層（８）によって少なくとも部分的に不動態化される、請求項１３に記載の電気的多層構成要素。
【請求項１６】
前記セラミック含有不導体層（８）が以下の材料：ＺｒＯｘ、ＭｇＯ、ＡｌＯｘのうち１つを含み、ｘは１以上の数である、請求項１５に記載の電気的多層構成要素。
【請求項１７】
前記電極層（３）が以下の材料：Ａｇ、Ｐｄ、Ｎｉ、Ｃｕのうち少なくとも１つを含む、請求項１から１６までのいずれか一項に記載の電気的多層構成要素。
【請求項１８】
並んで配置された電極層の積層体を複数有し、異なる積層体に属する電極層が共通の誘電層（２）に配置される、請求項１から１７のいずれか一項に記載の電気的多層構成要素。
【請求項１９】
前記誘電層（２）がバリスタセラミックを含む、請求項１から１８のいずれか一項に記載の電気的多層構成要素。
【請求項２０】
前記誘電層（２）がキャパシタセラミックを含む、請求項１から１９のいずれか一項に記載の電気的多層構成要素。
【請求項２１】
前記誘電層（２）が非線形抵抗材料を含む、請求項１から２０のいずれか一項に記載の電気的多層構成要素。
【請求項２２】
前記電極層（３）が、多層バリスタ、多層キャパシタ、多層ＮＴＣサーミスタまたは多層ＰＴＣサーミスタのうち少なくとも１つを形成する誘電層（２）と相互作用する、請求項１８から２１のいずれか一項に記載の電気的多層構成要素。
【請求項２３】
多層バリスタと多層キャパシタとが前記積層体（１）に並んで配置される、請求項２２に記載の電気的多層構成要素。
【請求項２４】
前記外部接点（４ａ、４ｂ）に接続された抵抗器を有する、請求項１から２３のいずれか一項に記載に記載の電気的多層構成要素。
【請求項２５】
請求項１から２４のいずれか一項に記載の電気的多層構成要素を有し、前記電気的多層構成要素がプリント回路基板（９）に取り付けられ、前記電気的多層構成要素と前記プリント回路基板との間の電気的接触が、プリント回路基板の接点と外部接点（４ａ、４ｂ、４ｃ）との間に生じる、電気的多層構成要素のための取り付け装置。
【請求項２６】
前記プリント回路基板（９）の接点が、前記プリント回路基板を貫いてつながるめっきされたスルーホール（１２）に接続される、請求項２４に記載の取り付け装置。
【請求項２７】
前記プリント回路基板（９）が、間に導電体トラック（１１）が配置された複数の基板層（１０）を有する、請求項２４または２５に記載の取り付け装置。
【請求項２８】
前記多層構成要素が、連続するプリント回路基板層に埋め込まれる、請求項２４から２６のいずれか一項に記載の取り付け装置。
【発明の詳細な説明】
【背景技術】
【０００１】
電気的多層構成要素、特にフリップチップ接点接続可能な電気的多層構成要素が示される。
【０００２】
特許文献１は、１つの側面に２つの外部接点を有し、前記外部接点が電極層に直接接続される、多層キャパシタを開示している。
【先行技術文献】
【特許文献】
【０００３】
【特許文献１】特開平０５−０５５０８４号公報
【発明の概要】
【発明が解決しようとする課題】
【０００４】
１つの達成すべき目的は、可能な最小の製造コストでフリップチップ接点接続可能な電気的多層構成要素を示すことである。
【課題を解決するための手段】
【０００５】
誘電層および電極層が並んで配置された積層体を有する、電気的多層構成要素が示される。加えて、異なる極性を有する外部接点が提供され、該接点が積層の同一の外面に配置される。外部接点はフリップチップ接点接続可能なものであり、そのことは、多層構成要素の１つの側がプリント回路基板上に向けられている場合、該外部接点がプリント回路基板に電気的に接続されうることを意味する。電極層はそれぞれ１つの端部によって、同じ極性を有する外部接続部に接続される。
【０００６】
電気的多層構成要素は、単一の外面によってプリント回路基板に電気的に接点接続されうるという利点をもつ構成を有するが、電極層と互いに接続しうるめっきされたスルーホールまたはビアはここでは必要ない。これは、本願の電極層がすでに、それぞれ１つの端部によって外部接続部に直接接続された形態を有するということが原因である。該外部接続部は、多層構成要素の、電極層に直接接続された逆の極性のもう一つの外部接続部と同じ側面に配置される。電極との接触を行うビアを有する多層構成要素の入り組んだ構成や製造の複雑さはこのようにして回避されうる。
【０００７】
電気的多層構成要素の１つの実施形態によれば、積層体の積層方向は、多層構成要素が取り付けられうるプリント回路板または取り付け面に実質的に平行に向いている。それゆえ、取り付け領域に対して、積層体の層は上下にではなく横方向に並んで配置される。
【０００８】
そのような構成は、比較的簡単な構成をもつ電極が多層構成要素の外部接点に直接接触しうるという利点を有する。積層体が異なった積層方向、例えば取り付け表面に垂直な方向をとることは明らかに可能だが、空間に関して最適化されていない方法で、かつそれぞれ、積層体の単一の外面に配置されたフリップチップ接点接続可能な外部接点に接続するように何度も曲がった形で、多層構成要素の電極が具体化されなければならなくなるという結論となる。
【０００９】
さらに、フリップチップ接点接続可能な電気的多層構成要素の取り付け装置が記される。そこでは、多層構成要素の構造は本願明細書に記載された実施形態の１つに対応し、多層構成要素の外面に配置された外部接点によってプリント回路基板に電気的に接点接続される。外部接点は好ましくは銀および／またはパラジウムを含む。この場合、外部接点はプリント回路基板上の対応する接点と接触する。プリント回路基板の１つの実施形態によれば、多層構成要素に接点接続可能なプリント回路基板の接点が、プリント回路基板に一体化された導電体トラックに、めっきされたスルーホールを介して、またはめっきされたスルーホールによって接続される。取り付け装置の１つの発展形態に対応して、プリント回路基板は、互いに上下に積層されて導電体トラックが間に延びる複数の基板層を有する。
【００１０】
電気的多層構成要素の１つの実施形態によれば、電極層の面は直角に突き出た部分において重なり合う。それぞれ間にある誘電層と相互作用する異なる極性を有する電極層は、この場合、キャパシタンスを生成しうる。該キャパシタンスは付随して、多層構成要素の電気的特性または多層構成要素の多層構造体の電気的特性を決定する。多層構成要素に含まれる多層構造体の例は多層バリスタまたは多層キャパシタである。
【００１１】
積層体の積層方向が上記実施形態による取り付け面に平行に向いている場合、電極層面の直角に突き出た部分の重なり合いも同様に、多層構成要素の取り付け面に平行に向いている。
【００１２】
電気的多層構成要素の１つの実施形態は、直角に突き出た部分において重なり合わないように異なる極性を有する電極層を提供する。その場合、代わりに、電極層は共通の誘電層に互いから隔てて配置される。電極層はそれぞれ、互いに向かい合い、互いから離れている端部を有する。結果として、これらの電極層の間に比較的小さいキャパシタンスが生成されうる。これらの電極層は、例えばマイクロエレクトロニクスにおける多層キャパシタまたは多層バリスタなど、多層構成要素の特定の用途において有利でありうる。
【００１３】
好ましくは、電極層は、外部接点にそれぞれ一端で接続され、積層体の内部に方向を転換するような向きになるような形に形成される。この場合、特に、異なる極性を有して近接する電極層は、積層体の内側に向かう、実質的に互いに反対の方向をはじめは向くような形に形成される。このことは、これらの電極層が、外部接点に接続された端部から見て、横方向、すなわち取り付け基板に平行な方向に収束することを意味する。好ましくは、電極層はこの場合Ｌ字型であり、Ｌ字型電極層の第１のリム（独語でＳｃｈｅｎｋｅｌ）が外部接点に接続され、電極層の第２のリムが取り付け面に実質的に平行に向く。
【００１４】
近接するＬ字型電極層が異なる極性を有する場合、それぞれの第２のリムは直角に突き出た部分において重なり合いうる。例として、キャパシタンスがこの重なり合う領域に形成されうる。
【００１５】
電気的多層構成要素の１つの実施形態によれば、Ｌ字型電極層の第２のリムの端部は、同一の誘電層に配置され逆の極性を有する電極層の第２のリムの端部と互いに反対にあり、それぞれの電極層の２つの第２のリムの端部同士は互いから隔てられている。したがって、比較的小さなキャパシタンスが、同一の誘電層の２つのＬ字型電極層の間に発生しうる。
【００１６】
１つの実施形態によれば、多層構成要素の電極層はそれぞれ複数の側で積層体の外面までつながっている。電極層が積層体の外面までつながっている場所では、例えば、「埋め込まれる」実施形態に従って多層構成要素がプリント回路基板に埋め込まれるか埋められるなどした場合、該電極層は外部で接点接続されることもできる。例として、多層構成要素の少なくとも１つの電極層の短いほうのリムの端部は、第１の外面までつながることができ、同じ電極層または異なる電極層の長いほうのリムの長手側は、多層構成要素のもう１つの外面までつながることができる。第１の、そしてもう１つの外面はそれぞれ、多層構成要素の頂部外面または底部外面でありえる。こうして、有利なことに、多層構成要素は「上方」からおよび「下方」から接点接続されうる。
【００１７】
加えて、または代替例として、多層構成要素の場合、該もう１つの外面はプリント回路基板に垂直に向く外面であるものとすることができる。よって、多層構成要素はプリント回路基板の多層構成要素の方向に対して「上方」からまたは「下方」から接点接続されることができ、「側方」から接点接続されることもできる。
【００１８】
１つの実施形態によれば、多層構成要素はプリント回路基板からなる積層板に埋め込まれ、取り付け装置および電気的構成要素装置の部分を形成する。この場合には、多層構成要素は積層板のプリント回路基板層によって頂部側を覆われる。底部側には、もう１つのプリント回路基板層が存在し、その上を多層構成要素が覆う。この場合には、積層板の個々のプリント回路基板層はめっきされたスルーホールを有し、該スルーホールは、プリント回路基板層上にプリントされた導電体トラックに接続されうる。好ましくは、積層板のプリント回路基板層はめっきされたスルーホールを有し、該スルーホールは多層構成要素の外部接点に接点接続されることができる。プリント回路基板層は好ましくはポリマーを含む。
【００１９】
電気的多層構成要素の１つの発展形態は、積層体の誘電層に配置される接地電極であって、積層体の外面に配置された接地接点に一端で接点接続する接地電極を備える。この場合には、接地接点は、電極層と接触する外部接点の間の多層構成要素の同じ外面に配置されうる。複数の接地電極が、それぞれ並んで配置された誘電層間または電極層間に提供されうる。接地電極は、有利なことに、多層構成要素に好ましいフィルタ効果を与えるために使用されうる。その場合には、接地電極は過電圧またはそれに伴う高周波干渉を放散することができ、それによって過負荷から多層構成要素を保護する。
【００２０】
好ましくは、電極層に接続された外部接点は、積層体の同一の外面に、できる限り互いから離れて配置される。この場合、外部接点は積層体の同一の外面の異なる縁部領域に配置されうる。積層体の同一の外面の異なる極性を有する外部接点の間の距離が大きくなるほど、それらの間に短絡が生じる可能性は小さくなる。
【００２１】
１つの実施形態によれば、積層体の外面は少なくとも一部で不動態化される。積層体の不動態化は積層体の材料、例えば積層体の誘電層、電極層または機能性セラミックスを、外部の化学的または機械的な影響から保護する利点を有する。多層構成要素の電気特性値の一層の安定が結果として達成される。
【００２２】
１つの実施形態によれば、積層体の不動態化または多層構成要素の不動態化は、積層体の少なくとも１つの外面に添付されたガラス含有層またはポリマー含有層によって達成される。しかしながら、不動態化は積層体の外面のセラミック含有層によっても達成されうる。セラミック含有層は好ましくは以下の材料：ＺｒＯｘ、ＭｇＯ、ＡｌＯｘのうち１つを含む。ここでｘは１以上の数であり、酸素と結合する元素１つあたりの酸素の個数を示す。
【００２３】
電気的多層構成要素の電極層および接地電極は、好ましくは以下の材料：銀、パラジウム、ニッケル、銅のうち１つまたはそれらの合金を含む。好ましくは、電極層に接点接続された外部接点は電極層と共通する材料からなり、それらの材料は両者が互いに接点接続することを促進する。
【００２４】
１つの実施形態によれば、電気的多層構成要素は互いに逆の極性の外部接点を接点接続する抵抗器を有する。抵抗器は積層体の表面に抵抗トラックまたは層として印刷することで得られる。代替例として、抵抗器は、積層体の表面に不動態化された物質を添付する、および／または積層体の表面を不動態化された物質によって覆うことによって得られる。
【００２５】
電気的多層構成要素の１つの実施形態によれば、電極層の積層体が複数並んで配置され、異なった積層体の電極層が共通の誘電層に配置される。この場合には、電極層の積層体は長手方向または横方向に並んで配置されうる。この構成によれば、多層構成要素は、同一の多層構成要素に配置されうる多層構造体の配列を有する。多層構成要素は好ましくはモノリシックで構成されるため、複数の多層構造が単一の積層体または基本体（独Ｇｒｕｎｄｋｏｒｐｅｒ）内に配列としてモノリシックに含まれうる。
【００２６】
多層構成要素の１つの実施形態によれば、誘電層はバリスタセラミックを含む。このようにして生成された誘電層の積層体は電極層と共に多層バリスタを形成する。バリスタセラミックは好ましくは酸化亜鉛（ＺｎＯ）を有する。
【００２７】
代替例として、または加えて、多層構成要素の誘電層はクラスＸ７Ｒ、ＣＯＧ、Ｚ５Ｕのキャパシタセラミックを含みうる。このようにして具体化され、電極層と交互に並んで配置された誘電層は多層キャパシタを形成することができ、多層キャパシタは同一の電気的多層構成要素内の多層バリスタと共に多層構造体として一体化されうる。
【００２８】
誘電層は非線形抵抗材料、例えばＮＴＣ材料またはＰＴＣ材料もまた含みうる。複数のそのような誘電層が電極層と交互に並んで配置される場合、多層ＮＴＣ構造体または多層ＰＴＣ構造体がそれぞれ形成されることができ、多層構造体は同一の多層構成要素内の上記の他の多層構造体と一体化されうる。
【００２９】
誘電層の共通積層体と一体化された上記多層構造体、および、その誘電層がバリスタセラミック、キャパシタセラミックまたはＮＴＣ材料またはＰＴＣ材料を含む上記多層構造体は電気的多層構成要素を形成することができ、電気的多層構造体は、適切な場合、多数の電気的機能、特に電気的フィルタ機能を有する。それにもかかわらず、これらは有利なことに構造上の寸法が小さいか、またはフラットな設計で生産されうる。
【００３０】
本願発明は以下の図面および例となる実施形態に基づいてより詳しく説明される。
【図面の簡単な説明】
【００３１】
【図１Ａ】電気的多層構成要素の側面断面図である。
【図１Ｂ】断面が外部接点と多層構成要素の積層体との間を通る、図１Ａに示した構成要素の平面断面図である。
【図１Ｃ】断面が多層構成要素の外部接点を貫いて通る、図１Ａに示した構成要素の平面断面図である。
【図２Ａ】図１Ａに基づくが、追加の不動態層を有する、構成要素の側面断面図である。
【図２Ｂ】断面が上方不動態層と積層体との間を通る、図２Ａに示した構成要素の平面断面図である。
【図２Ｃ】断面が外部接点と上方不動態層との間を通る、図２Ａに示した構成要素の平面断面図である。
【図２Ｄ】断面が多層構成要素の外部接点を貫いて通る、図３Ａに示した構成要素の平面断面図である。
【図３Ａ】図２Ａに基づくが、拡大された電極層面を有する、構成要素の側面断面図である。
【図３Ｂ】断面が上方不動態層と誘電層の積層体との間を通る、図３Ａに示した構成要素の平面断面図である。
【図３Ｃ】断面が外部接点と上方不動態層との間を通る、図３Ａに示した構成要素の平面断面図である。
【図３Ｄ】断面が多層構成要素の外部接点を貫いて通る、図３Ａに示した構成要素の平面断面図である。
【図４Ａ】直角に突き出た部分において互いに重なり合わない電極層を有する電気的多層構成要素の側面断面図である。
【図４Ｂ】断面が上方不動態層と誘電層の積層体との間を通る、図４Ａに示した構成要素の平面断面図である。
【図４Ｃ】断面が多層構成要素の外部接点を貫いて通る、図４Ａに示した構成要素の平面断面図である。
【図５Ａ】複数の多層構造を有する、電気的多層構成要素の側面断面図である。
【図５Ｂ】断面が外部接点と誘電層の積層体との間を通る、図５Ａに示した構成要素の平面断面図である。
【図５Ｃ】断面が外部接点を貫いて通る、図５Ａに示した構成要素の平面断面図である。
【図６Ａ】追加の接地電極および接地接点を含む複数の多層構造体を有する、電気的多層構成要素の側面断面図である。
【図６Ｂ】断面が外部接点と誘電層の積層体との間を通る、図６Ａに示した構成要素の平面断面図である。
【図６Ｃ】断面が外部接点と接地接点とを貫いて通る、図６Ａに示した構成要素の平面断面図である。
【図７】プリント回路基板に取り付けられた、フリップチップ設計の電気的多層構成要素のための取り付け装置の側面断面図である。
【図８】プリント回路基板の積層板内または連続層内に配置された、フリップチップ設計の電気的多層構成要素のための取り付け装置の側面断面図である。
【図９】直立して延びる接地電極および電極層を有し、抵抗器を有する、表面取り付け可能な電気的多層構成要素の側面断面図である。
【図１０】図９による多層構成要素の、抵抗器を有する側から見た平面図である。
【図１１】図１０による多層構成要素の、接地接点を有する側から見た平面図である。
【発明を実施するための形態】
【００３２】
取り付け面に対して横方向に並んで配置された誘電層２および電極層３の積層体１を有する電気的多層構成要素の側面断面図が図１Ａに図示される。積層体１の接点側５ａには外部接点４ａおよび４ｂが配置され、該外部接点４ａおよび４ｂはそれぞれ、積層体１の中央からずれるように、積層体の接点側５ａの縁部領域に位置する。電極層３はそれぞれ接点接続端部によってそれぞれ外部接点に接続されており、層の積層体１の内側に向けてＬ字型に延びる。各Ｌ字型電極層３の長いほうのリム３ｂ、すなわち直角に突き出た部分は、隣接するＬ字型電極層３の長いほうのリム３ｂと重なり合う。
【００３３】
図１Ｂは断面図、すなわち、電極層３の短いほうのリム３ａの接点側の縁部を実線で、層の積層体のさらに内側に位置する、電極層３の長いほうのリム３ｂの接点側の縁部を破線で表した図である。この図における断面領域は、図１Ａに示された外部接点４ａおよび４ｂと、Ｌ字型電極層３の長いほうのリム３ｂの延在領域との間に位置する。加えて、誘電層２の上方の縁部２がこの断面図に示されている。
【００３４】
図１Ｃは外部接点４ａおよび４ｂを通って平面状に通る断面図である。電極層３の短いほうのリム３ａの断面はこの図の外部接点４ａおよび４ｂの表面によって覆い隠され、電極層３の長いほうのリム３ｂの断面は破線で示される。
【００３５】
図１Ａとは対照的に、図２Ａは並んで配置された誘電層および電極層３の積層体１を有する電気的多層構成要素を示し、積層体１は頂部側および底部側にそれぞれ不動態層８を有している。この場合には、多層構成要素の底部側とは、後に取り付け面に面することになる側を意味する。
【００３６】
さらなる不動態層が層の積層体１の横方向外面に添付されるが、多層構成要素の内部構造を側部から見えるようにするために、前記さらなる不動態層はこの断面図では示されていない。
【００３７】
図示された不動態層８は、多層構成要素の、それぞれ頂部層と底部層とを形成する。この実施形態によれば、Ｌ字型電極層３の短いほうのリム３ａは、底部層を形成する不動態層８を貫いてその表面５ａまでつながり、不動態層８に配置された外部接点４ａおよび４ｂに直接接続される。
【００３８】
図２Ｂは、図２Ａに示された多層構成要素の底部領域の平面断面図を示す。底部層を形成する不動態層８の表面５ａまでつながる、電極層３の短いほうのリム３ａの端部が実線で示され、積層体１の内部のより深いところに位置する、電極層３の長いほうのリム３ｂが破線で示される。層の積層体１を横方向で区切る不動態層８もまた示される。
【００３９】
図２Ｃは、図２Ａに示された多層構成要素の底部領域のさらなる平面断面図を示す。断面は、底部層をなす不動態層８を貫いて通る。しかしながら、図示の意図により、多層構成要素の底部側の外面５ａまでつながる電極層３それぞれの短いほうのリム３ａの端部が見えるようにするために、前記不動態層８は、多層構成要素の横方向範囲に関しての中央領域のみを示す。加えて、層の積層体に横方向に添付されたさらなる不動態層８が示され、この図によって前記さらなる不動態層の底縁部が示される。
【００４０】
図２Ｄは、図２Ａに示された外部接点４ａおよび４ｂを貫いて通る断面の図である。前記外部接点の長方形の表面および、前記外部接点の間に配置された不動態層８の領域の長方形の表面が示される。外部接点４ａおよび４ｂと、接点側の不動態層８とが共に、多層構成要素の接点側を好ましくは完全に覆う。
【００４１】
図２Ａとは対照的に、図３Ａは全体的に拡大された面を有する電極層３を示す。特に、電極層３の長いほうのリム３ｂの鉛直方向範囲が拡大され、リム３ｂの頂縁部（図の多層構成要素の下の領域）が上の不動態層すなわち底部層８までつながる。
【００４２】
図３Ｂは、図３Ａに示された多層構成要素の平面断面図である。断面は電極層３を貫いて通り、したがって、電極層３の短いほうのリム３ａの平面視は太い左右方向の実線で描かれ、電極層３の長いほうのリム３ｂの平面視は細い左右方向の実線で描かれる。加えて、層の積層体１に横方向に添付された不動態層８が示される。
【００４３】
図３Ｂとは対照的に、図３Ｃは図３Ａに示した多層構成要素の平面断面図を示す。断面は接点側の底部層すなわち不動態層８と、前記底部層に配置された外部接点４ａおよび４ｂとの間の境界を通る。したがって、底部層の外面５ａまでつながる電極層３の短いほうのリム３ａの端部は、この平面図で見える。短い方のリム３ａは左右方向の実線で示される。さらに、層の積層体１に横方向に添付された不動態層８すなわち前記不動態層の上の縁部が示される。
【００４４】
図３Ｄは、図３Ａに示された多層構成要素の平面断面図である。断面は接点側の底部層に配置された外部接点４ａおよび４ｂを貫いて通り、前記外部接点の間に存在する不動態層８の領域が見える。
【００４５】
図４Ａは、誘電層および電極層３からなる層の積層体１を有する電気的多層構成要素の側面断面図である。電極層はこれまでの例となる実施形態と比較してより小さいまたは短いＬ字型をしている。この場合には、Ｌ字型電極層３は外部接点４ａおよび４ｂから層の積層体１の内部へと、上記した例となる実施形態と比べてより浅く延びる。特に、異なる極性を有する電極層３ａは直角に突き出た部分において重なり合わず、異なる極性を有する電極層の間の電気的相互作用が、層の積層体１の、取り付け面に平行に通る平面において発生する。特に、異なる極性を有する２つの電極層が共通の誘電層２上に配置され、共通の誘電層２上の同じ平面における電極層３の長いほうのリム３ｂの相互に面する端部間にキャパシタンスが形成される。この実施形態は、いくつかの電気的用途において用いられる比較的低いキャパシタンスを生成することを可能にする。また、この実施形態では、好ましくは上部または下部の不動態層８、すなわち不動態底部層８および不動態頂部層８が存在し、それらは底部側および頂部側においてそれぞれ層の積層体１を区切っている。外部接点４ａおよび４ｂは頂部層８に配置され、電極層の短い方のリブが接点側の不動態層を貫いてつながり、それぞれの外部接点４ａおよび４ｂに直接接続される。
【００４６】
図４Ｂは、図４Ａに示された多層構成要素の平面断面図である。断面は、図４Ａにある接点側の不動態層８と層の積層体１との間にある。したがって、電極層の短いほうのリム３ａの断面または縁部は左右方向の太い線で示され、電極層３の長いほうのリムの縁部は左右方向の細い線で示される。さらに、層の積層体１の横側に配置された不動態層８が示される。
【００４７】
図４Ｃは、図４Ａに示された多層構成要素の平面断面図である。断面は、接点側の不動態層８に配置された外部接点４ａおよび４ｂの平面を貫いて通る。電極層３の長いほうのリム３ｂの上側の縁部の一部が示され、該長いほうのリム３ｂは突き出た部分の一部において長方形の外部接点４ａおよび４ｂの下に位置する。図示の意図により、電極層３の内部領域が見えるようにするために、外部接点４ａおよび４ｂと層の積層体１との間に原則として存在する不動態層Ａは図示されない。
【００４８】
図５Ａは、多層構造体の配列としての電気的多層構成要素を示す。この多層構造体の横方向断面図は、外部接点４ａおよび４ｂで始まり積層体１の内部にＬ字型で続く電極層３を示す。
【００４９】
図５Ｂは、外部接点４ａおよび４ｂと層の積層体１との間の平面における、図５Ａに示された多層構成要素の断面を示す。この平面図によって、複数の多層構造体ＡおよびＢまたはその底縁部が見えており、各多層構造体は並んで配置された誘電層２および電極層３の連続層を有する。多層構造体は、例えば多層キャパシタ、多層バリスタ、多層ＰＴＣサーミスタ、多層ＮＴＣサーミスタなどの特定の電気的機能を有する。多層構成体ＡおよびＢは多層構成要素においてモノリシックにつくられうる。電気的減結合層は異なる電気的機能を有する多層構造体の間に存在することができ、前記減結合層は前記多層構成体の間の電磁クロストークを回避する。この図によると、Ｌ字型電極層の短いほうのリム３ａの接点側の縁部およびＬ字型電極層の長いほうのリム３ｂの接点側の縁部が各多層構成体Ａ、Ｂに関して示される。
【００５０】
図５Ｃは、図５Ａに示す多層構成要素の、フリップチップ外部接点４ａおよび４ｂを貫いて通る平面における断面を示す。この図は、各多層構成体に関して、接点側に向けてつながるそれぞれの多層構造体のＬ字型電極層の短い方のリム３ａの端部に接続される外部接点が、どのように提供されるかを示す。したがって、接点側の層の積層体１の外面は、それぞれ縁部領域に配置された複数の外部接点を備えうる。
【００５１】
図６Ａは、配列として具体化された電気的多層構成要素の側面断面図である。図５Ａから図５Ｃに示された多層構成要素と比較すると、追加の接地接点４ｃが接点側の層の積層体１の外面５ａに配置され、これは誘電層２と電極層３との間に配置された接地電極７と接触する。好ましくは、接地電極４ｃは、層の積層体１の、電極層３と接触する外部接点４ａおよび４ｂが配置されるのと同一の上方外面５ａに配置される。したがって、フィルタとして使用されうるフリップチップ接点接続可能な電気的多層構成要素が提供される。該多層構成要素は、プリント回路基板の対応する接点に接点接続されうるすべての電気的外部接点を、単一の側の面に有する。
【００５２】
図６Ｂは、図６Ａに示された多層構成要素の断面を示す。この断面は接点側の外面５ａに配置された外部接点４ａ、４ｂおよび４ｃと、層の積層体１との間にある。この断面図は接地電極７の接点側の縁部を示し、該接地電極７は接点側の層の積層体１の外面５ａまで延びており、前記外面に配置された接地接点４ｃへの接点接続を可能にする。さらに、複数の多層構造体ＡおよびＢが示され、それらは異なる電気的機能、例えば、多層キャパシタまたは多層バリスタなどとしての電気的機能を有しうる。接地接点４ｃと共に接地電極７は、高周波干渉信号または過電圧に由来する高周波を消散させることができ、それによって、好ましいフィルタ動作を多層構成要素に与え、多層構成要素をそのような過電圧から保護する。
【００５３】
図６Ｃは、図６Ａに示された多層構成要素の断面を水平面で示す。断面はそれぞれ多層構成要素ＡおよびＢのための外部接点４ａおよび４ｂを貫いて通り、前記外部接点は層の積層体１の外面５ａの接点側に配置される。この場合、接地接点７の長方形の平面の領域と、多層構成要素ＡおよびＢの電極層と接触する外部接点４ａおよび４ｂの平面の領域が示される。接地接点の下に、電極層３の長いほうのリム３ｂの底縁部が破線で示される。
【００５４】
図７は本明細書に記載された構造体を有する電気的多層構成要素を示す。該構成要素はプリント回路基板９にフリップチップ接点４ａおよび４ｂによって取り付けられており、フリップチップ接点４ａおよび４ｂは、特に、電気的伝導材料、例えば銅で満たされた、めっきされたスルーホールまたはビア１２に接点接続される。ビア１２は、プリント回路基板に一体化された導電体トラック１１に接点接続されうる。プリント回路基板は、好ましくは、導電体トラックおよびさらなる電子構造体がそれぞれ添付されうる複数の層１０を有する。プリント回路基板の層は好ましくは電気的に絶縁性であり、好ましくはポリマーを含む。
【００５５】
図８は、上記例示の実施形態による鉛直方向に向いた内部電極を有する多層構成要素を含むプリント回路基板積層板を有する装置を示す。内部電極は、積層板のプリント回路基板層１０に関して直立して延びる。プリント回路基板積層板は、上下に積み重ねられるプリント回路基板層１０であって、電気的伝導構造体または電気的絶縁構造体が添付されうるプリント回路基板層１０を含む。
【００５６】
誘電層と電極層とからなる積層体１は、プリント回路基板層１０に直立して添付される。積層体１の頂部側および底部側はそれぞれ外部接点４ａおよび４ｂを有している。この場合、底部側の外部接点４ａおよび４ｂは、積層体１が配置されるプリント回路基板層１０に組み込まれた、めっきされたスルーホール１２に接触する。前記めっきされたスルーホール１２は導電体トラック１１にそれぞれ接点接続され、導電体トラック１１は積層板のさらなるプリント回路基板層１０に添付される。多層構成要素の積層体１は、頂部側においても同様に電気的に接点接続される。
【００５７】
上記例示の実施形態と比較すると、積層体１の電極層３はＴ字型をしており、Ｔ字型の内部電極の短いほうのリム３ａが、鉛直方向に延びるように、積層体の頂部側および底部側に添付された同じ極性の外部接点４ａに接続される。この場合、Ｔ字型の内部電極の長いほうのリム３ｂは、内部電極の短い方のリムと垂直に延び、反対側の接点から電気的に絶縁される。
【００５８】
装置を生産するために、多層構成要素がプリント回路基板層１０に取り付けられる。この場合、底部側に外部接点を有する積層体１はプリント回路基板層のめっきされたスルーホール１２に目標を定めて配置され、このようにして底部側の電気的接点接続を行う。このようにして、さらなるプリント回路基板層が多層構成要素に配置され、前記さらなるプリント回路基板層は、底部側に、すなわち多層構成要素に面する側に、例えば樹脂または軟性ポリマーなどの変形可能な材料を含む。このプリント回路基板層は、好ましくは、真空積層法によって添付される。多層構成要素と、周囲の、添付されたプリント回路基板層の材料との間に自由空間が発生することが、この場合回避される。このことは、例えば、プリント回路基板層の添付の間に設定された適切な温度および圧力によって達成されうる。多層構成要素に位置するプリント回路基板層のめっきされたスルーホール１２のために、切り欠きが例えばフライス加工、好ましくはレーザー加工によって作成され、前記切り欠きは電気伝導性材料、例えば銅などで満たされる。好ましくは、紫外線／ＣＯ２デュアルレーザービームが切り欠きを作成するのに使用される。めっきされたスルーホールを有するプリント回路基板層の頂部側に、めっきされたスルーホールに接続される、好ましくは銅を含む導電体トラック１１が、したがって印刷されうる。さらなるプリント回路基板層１０は、以前に多層構成要素に配置されたプリント回路基板層を覆うことができる。
【００５９】
プリント回路基板層が多層構成要素に配置されるのではなく、代替法として、多層構成要素が密に嵌まるように挿入される切り欠きを、プリント回路基板層に生成することが可能である。好ましくは、多層構成要素の頂部側は、この場合、多層構成要素が埋め込まれているプリント回路基板層の頂部側に関して平らに延びる。プリント回路基板層の切り欠きまたは穴の深さは、したがって、直立して置かれる多層構成要素の高さに好ましくは対応する。切り欠きは、好ましくはフライス加工によって、特にレーザーフライス加工によって生成される。
【００６０】
装置の１つの実施形態によれば、例えばはんだバンプまたははんだボールの形態の、底部側に外部接点を有する表面取り付け可能な構成要素（ＳＭＤチップ）が、プリント回路基板積層板、またはめっきされたスルーホール、またはめっきされたスルーホールに接続された導電体トラックに取り付けられる。フラットな設計の高い集積密度をもつ電気的構成要素およびプリント回路基板構造体の装置が、こうして達成される。
【００６１】
図９は、取り付け面またはプリント回路基板層１０に対し垂直に延びる電極層３を有する、面取り付け可能な電気的多層構成要素を示す。追加の外部接点４ｃは積層体に配置された接地電極７のための電気的外部接点を形成する。頂部側の外部接点４ａと４ｂとの間に、前記外部接点に接続されて、積層体の表面に、すなわち、例えば、積層体に属する誘電層２の縁部に沿って、抵抗器１４が延びる。前記抵抗器は抵抗トラックまたは層として印刷され、好ましくはルテニウム酸化物（ＲｕＯｘ）を含み、ここでｘは１以上の数であり、酸素の個数を示す。場合によっては、不動態層が抵抗器と積層体１の表面との間に存在しうる。この図は、抵抗器を覆う不動態層８を示す。Π型フィルタが抵抗器につくられ、キャパシタンスが互いに反対の極性の電極層３とその間にある誘電層２との間に形成され、それらは抵抗器および接地によって互いに接続される。ここでは例としてΠ型フィルタに言及しているが、この面取り付け可能な設計と、取り付け面に垂直に延びる内部電極とを有する他のフィルタ、例えばローパスフィルタまたはノイズフィルタなどもまた提供されうる。多層構成要素は、内部電極とそれに割り当てられた外部接点とからなる複数の組を有するフィルタ列としてまたはフィルタモジュールとして具体化されうる。この場合には、しかしながら、それぞれのフィルタまたは内部電極の組が、同一のまたは共通の誘電層の積層体を共有する。
【００６２】
図１０は、図９によるフィルタ列または多層構成要素モジュールの頂部側の平面図を示す。図１０は、抵抗器１４がフィルタの外部接点４ａおよび４ｂとそれぞれどのように接触するかを示す。外部接点４ａおよび４ｂに接続される短いほうのリム３ａの縁部が左右方向の線で示される。
【００６３】
図１１は、図９によるフィルタ列または多層構成要素モジュールの底部側の平面図を示す。図１１は、各フィルタの接地電極７が接地接点４ｃとどのように接触するかを示す。この場合には、好ましくは、接地接点４ｃが積層体１の底部側の細長いストリップとして具体化される。破線は内部電極３の長いほうのリム３ｂの縁部を示し、前記長いほうのリムは多層構成要素に埋め込まれている。
【符号の説明】
【００６４】
１  誘電層および電極層の積層体
２  誘電層
３  電極層
３ａ  Ｌ字型電極層の短いほうのリム
３ｂ  Ｌ字型電極層の長いほうのリム
４ａ  第１の外部接点
４ｂ  第２の外部接点
４ｃ  接地接点
５ａ  接点側の多層構成要素の外面
５ｂ  多層構成要素の他方の外面
６  障壁層
７  接地電極
８  不動態層
９  プリント回路基板
１０  プリント回路基板の基板層
１１  プリント回路基板の導電体トラック
１２  プリント回路基板のめっきされたスルーホール
１３  はんだバンプまたははんだボール
１４  抵抗器
【図１ａ】
2010539722.tif 000003
【図１ｂ】
2010539722.tif 000004
【図１ｃ】
2010539722.tif 000005
【図２ａ】
2010539722.tif 000006
【図２ｂ】
2010539722.tif 000007
【図２ｃ】
2010539722.tif 000008
【図２ｄ】
2010539722.tif 000009
【図３ａ】
2010539722.tif 000010
【図３ｂ】
2010539722.tif 000011
【図３ｃ】
2010539722.tif 000012
【図３ｄ】
2010539722.tif 000013
【図４ａ】
2010539722.tif 000014
【図４ｂ】
2010539722.tif 000015
【図４ｃ】
2010539722.tif 000016
【図５ａ】
2010539722.tif 000017
【図５ｂ】
2010539722.tif 000018
【図５ｃ】
2010539722.tif 000019
【図６ａ】
2010539722.tif 000020
【図６ｂ】
2010539722.tif 000021
【図６ｃ】
2010539722.tif 000022
【図７】
2010539722.tif 000023
【図８】
2010539722.tif 000024
【図９】
2010539722.tif 000025
【図１０】
2010539722.tif 000026
【図１１】
2010539722.tif 000027
【国際調査報告】
2010539722.tif 000028
2010539722.tif 000029
2010539722.tif 000030
2010539722.tif 000031
2010539722.tif 000032
2010539722.tif 000033
2010539722.tif 000034
2010539722.tif 000035
2010539722.tif 000036
2010539722.tif 000037